(57)【要約】【課題】簡易な構成で、長期間にわたり建物内部への漏水を防止することのできる配線引き込み構造および方法を提供すること。【解決手段】配線引き込み構造は、筒状部材（４）と固定部材とを備える。筒状部材（４）は、たとえば屋根部材（２１，２２）の下方に配置され、屋根部材（２１，２２）からの接続線（１０）を、一方端（４０ａ）側から受入れて他方端（４０ｂ）側から建物（１）の内部へ送り出す。これにより、接続線（１０）が、円筒部材（４）の他方端（４０ｂ）側から建物（１）の内部へ引き込まれる。固定部材は、筒状部材（４）の一方端（４０ａ）が建物（１）の外部側に位置し、かつ、他方端（４０ｂ）より下方側に位置するよう、筒状部材（４）を傾斜させて固定する。これにより、一方端（４０ａ）側から筒状部材（４）内に水が浸入してきたとしても、当該一方端（４０ａ）側から排水することができる。【選択図】図１
2014220935.tif 000002
【特許請求の範囲】
【請求項１】
建物の外部に配された接続線を建物内に引き込むための配線引き込み構造であって、
前記建物の内部空間の上方を覆う天面部材と、
前記天面部材の下方に配置され、前記接続線を一方端側から受入れて他方端側から前記内部空間へ送り出す筒状部材と、
前記筒状部材の前記一方端が前記建物の外部側に位置し、かつ、前記他方端より下方側に位置するよう、前記筒状部材を傾斜させて固定する固定部材とを備える、配線引き込み構造。
【請求項２】
前記天面部材の端部側の下方には、屋外に面する外装部材が配置されており、
前記一方端は、前記外装部材よりも外側に位置し、
前記他方端は、前記外装部材よりも内側に位置している、請求項１に記載の配線引き込み構造。
【請求項３】
前記接続線は、前記筒状部材の前記一方端から挿入される、請求項１または２に記載の配線引き込み構造。
【請求項４】
前記筒状部材には、前記一方端側の下部に、排水用の孔部が設けられている、請求項３に記載の配線引き込み構造。
【請求項５】
前記筒状部材には、前記一方端側の上部に、前記接続線を挿入するための孔部が設けられている、請求項１または２に記載の配線引き込み構造。
【請求項６】
前記筒状部材の径方向断面は、略円形である、請求項１〜５のいずれかに記載の配線引き込み構造。
【請求項７】
前記筒状部材は、前記一方端から前記他方端まで真直ぐ延びている、請求項１〜６のいずれかに記載の配線引き込み構造。
【請求項８】
前記筒状部材は、少なくとも一部に可撓部分を有している、請求項１〜６のいずれかに記載の配線引き込み構造。
【請求項９】
前記筒状部材の前記一方端は、下方を向くように曲げられている、請求項１〜８のいずれかに記載の配線引き込み構造。
【請求項１０】
前記筒状部材は、前記他方端側を閉塞する閉塞部を含む、請求項１〜９のいずれかに記載の配線引き込み構造。
【請求項１１】
前記外装部材の外表面に、前記筒状部材の前記一端を覆い、かつ、下方側が開放されたカバー材が配置されている、請求項２に記載の配線引き込み構造。
【請求項１２】
前記天面部材は、屋根部材を含み、
前記筒状部材は、前記屋根部材に配された前記接続線を前記一方端側から受入れる、請求項１〜１１のいずれかに記載の配線引き込み構造。
【請求項１３】
建物の外部に配された接続線を建物内に引き込むための施工方法であって、
前記建物の内部空間の上方を覆う天面部材の下方に筒状部材を配置する固定と、
筒状部材の一方端が、前記建物の外部側に位置し、かつ、他方端より下方側に位置するよう、前記筒状部材を傾斜させて固定する工程と、
前記筒状部材の前記一方端側から前記接続線を挿入し、前記他方端側から前記接続線を引き出す工程とを含む、配線引き込み方法。
【発明の詳細な説明】
【技術分野】
【０００１】
本発明は、配線引き込み構造および配線引き込み方法に関し、特に、屋根上など建物の外部に配された接続線を建物内に引き込むための配線引き込み構造およびその施工方法に関する。
【背景技術】
【０００２】
建物の屋根上に、たとえば太陽光発電装置などの設備機器が設置されることがある。このような場合、屋根部材に配された接続線（たとえば電力線）は、通常、屋根部材に設けられた屋根穴部から建物内に引き込まれる。
【０００３】
屋根穴部から建物内への雨水の浸入を防止するために、特開２００９−６０６８７号公報（特許文献１）には、ロックナットの締め付けにより、屋根材と屋根下地材間でスペーサパッキンが密着挟持される構造が開示されている。また、たとえば特開２０１２−２５７３５４号公報（特許文献２）には、屋根の傾斜面に設けられた引き込み穴に設置されるカバー部材に、傾斜方向下向きに開口する開口部を有するカバー部が含まれることが開示されている。
【０００４】
また、特開２０１１−２０８４４６号公報（特許文献３）に示されるように、配線挿入用の穴とこの穴を覆うカバー材とが予め設けられた配線瓦も知られている。
【先行技術文献】
【特許文献】
【０００５】
【特許文献１】特開２００９−６０６８７号公報
【特許文献２】特開２０１２−２５７３５４号公報
【特許文献３】特開２０１１−２０８４４６号公報
【発明の概要】
【発明が解決しようとする課題】
【０００６】
上述のように、屋根部材に配された接続線を建物内部に引き込む場合、通常は、屋根部材に屋根穴部が設けられて、その屋根穴部から雨水が浸入するのを防止する措置が施される。しかしながら、たとえばシーリング材のみによる止水では、シーリング材の劣化に伴い、長期にわたり止水性を維持することは困難である。また、カバー材や水切りにより防水性を高めようとすると、構成が複雑となり部品点数も増えてしまう。さらには、部品点数が増えるとカバー材等が目立ち、結果として美観を損ねてしまう場合もある。
【０００７】
また、屋根部材に穴を開けること自体が困難な場合や、たとえば既存住宅に対し、リフォームにより設備機器を屋根上に設置する場合などにおいては、屋根部材に配された接続線を、屋根部材を貫通させて引き込むことが困難なケースも考えられる。
【０００８】
本発明は、上記のような課題を解決するためになされたものであって、その目的は、簡易な構成で、長期間にわたり建物内部への漏水を防止することのできる配線引き込み構造および方法を提供することである。
【０００９】
また、建築後の建物に対しても容易に施工することのできる配線引き込み構造および方法を提供することも、他の目的とする。
【課題を解決するための手段】
【００１０】
この発明のある局面に従う配線引き込み構造は、建物の外部に配された接続線を建物内に引き込むための配線引き込み構造であって、天面部材と筒状部材と固定部材とを備える。天面部材は、建物の内部空間の上方を覆う。筒状部材は、天面部材の下方に配置され、接続線を一方端側から受入れて他方端側から内部空間へ送り出す。固定部材は、筒状部材の一方端が建物の外部側に位置し、かつ、他方端より下方側に位置するよう、筒状部材を傾斜させて固定する。
【００１１】
好ましくは、天面部材の端部側の下方には、屋外に面する外装部材が配置されており、一方端は、外装部材よりも外側に位置し、他方端は、外装部材よりも内側に位置している。
【００１２】
好ましくは、接続線は、筒状部材の一方端から挿入される。
【００１３】
この場合、筒状部材には、一方端側の下部に、排水用の孔部が設けられていてもよい。
【００１４】
あるいは、筒状部材には、一方端側の上部に、接続線を挿入するための孔部が設けられていてもよい。
【００１５】
筒状部材の径方向断面は、略円形であることが望ましい。
【００１６】
また、筒状部材は、一方端から他方端まで真直ぐ延びていることが望ましい。
【００１７】
または、筒状部材は、少なくとも一部に可撓部分を有していてもよい。
【００１８】
筒状部材の一方端は、下方を向くように曲げられていてもよい。
【００１９】
好ましくは、筒状部材は、他方端側を閉塞する閉塞部を含む。
【００２０】
また、外装部材の外表面に、筒状部材の一端を覆い、かつ、下方側が開放されたカバー材が配置されていてもよい。
【００２１】
好ましくは、天面部材は、屋根部材を含み、筒状部材は、屋根部材に配された接続線を一方端側から受入れる。
【００２２】
この発明の他の局面に従う配線引き込み構造は、建物の外部に配された接続線を建物内に引き込むための施工方法であって、建物の内部空間の上方を覆う天面部材の下方に筒状部材を配置する工程と、筒状部材の一方端が、建物の外部側に位置し、かつ、他方端より下方側に位置するよう、筒状部材を傾斜させて固定する工程と、筒状部材の一方端側から接続線を挿入し、他方端側から接続線を引き出す工程とを含む。
【発明の効果】
【００２３】
本発明によれば、筒状部材は建物の外部側が低くなるよう水勾配がつけられるため、簡易な構成で、長期間にわたり建物内部への漏水を防止または低減することができる。
【００２４】
また、屋根部材に配された接続線を建物内に引き込む場合であっても、屋根部材に穴を開けることなく建物の外部側から接続線を引き込むことができるため、建築後の建物に対しても容易に施工することもできる。
【図面の簡単な説明】
【００２５】
【図１】本発明の実施の形態１に係る配線引き込み構造を模式的に示す模式断面図である。
【図２】本発明の実施の形態１における筒状部材の構成例を示す図である。
【図３】本発明の実施の形態１における配線引き込み方法を示すフローチャートである。
【図４】本発明の実施の形態１に係る配線引き込み構造の他の例を示す図である。
【図５】本発明の実施の形態１に係る配線引き込み構造のさらに他の例を示す図である。
【図６】本発明の実施の形態２に係る配線引き込み構造を模式的に示す模式断面図である。
【図７】本発明の実施の形態３に係る配線引き込み構造を模式的に示す模式断面図である。
【図８】本発明の実施の形態４に係る配線引き込み構造を模式的に示す模式断面図である。
【図９】本発明の実施の形態５に係る配線引き込み構造を模式的に示す模式断面図である。
【発明を実施するための形態】
【００２６】
本発明の実施の形態について図面を参照しながら詳細に説明する。なお、図中同一または相当部分には同一符号を付してその説明は繰返さない。
【００２７】
＜実施の形態１＞
本発明の実施の形態１に係る配線引き込み構造について説明する。
【００２８】
図１は、本発明の実施の形態１に係る配線引き込み構造を模式的に示す模式断面図である。図１を参照して、建物１は、勾配を有する屋根部２を備えている。屋根部２の下方には、屋根裏空間としての小屋裏空間６を挟んで、水平方向に広がる天井部１４が配置されている。図１に示される空間７は、天井部１４、外壁１３および床部（図示せず）で囲まれる居室空間である。本実施の形態において、図１中矢印Ａ１で示される、建物１の外部側を向く方向を「軒先側」という。また、矢印Ａ１の反対側の方向、すなわち建物１の内部側を向く方向を「軒元側」という。
【００２９】
屋根部２は、軒先側が下方に傾斜する勾配屋根であり、たとえば切妻屋根や片流れ屋根が想定される。屋根部２は、少なくとも２つの屋根部材、すなわち野地板（屋根下地材）２１および屋根仕上げ材２２を含む。建物１の軒先側には、屋根部２の下方に、鼻隠し材１１および軒天ボード１２が配置されている。鼻隠し材１１および軒天ボード１２は、いずれも屋外に面する外装部材に含まれる。鼻隠し材１１の外面には、鼻隠し材１１に沿って樋１５が配置されている。なお、図１では、野地板２１と屋根仕上げ材２２とが密着された状態が示されているが、屋根仕上げ材２２が瓦などの場合においては、野地板２１と屋根仕上げ材２２との間には部分的に隙間があってよい。
【００３０】
本実施の形態において、屋根部２上には、設備機器として、たとえば太陽光発電装置（図示せず）が設置されている。屋根部２上に設備機器が設置された場合、一般的には、設備機器からの電力線１０が、屋根部２に設けられた屋根穴部に挿通されて、建物１内に引き込まれる。これに対し、本実施の形態では、屋根部２に穴を開けることなく、屋根部２の屋根仕上げ材２２上、または、野地板２１と屋根仕上げ材２２との間に配された電力線１０が、建物内部である屋根裏空間（小屋裏空間）６に引き込まれる。具体的には、屋根部２の下方に、電力線１０を建物１の軒先側から屋根裏空間６に引き込むための筒状部材４が配置される。屋根部２の下方に直接居室がある場合には、屋根裏空間は、居住空間であってもよい。以下に、本実施の形態における筒状部材４の構成および配置例について、詳細に説明する。なお、本実施の形態では、軒先側に配置される一方端を「軒先端部４０ａ」、軒元側に配置される他方端を「軒元端部４０ｂ」として説明する。
【００３１】
図２は、本発明の実施の形態１における筒状部材４の構成例を示す図である。図２には、一点鎖線で野地板２１の下面２１ａが示されている。図１および図２を参照して、筒状部材４は、たとえば、略円形の径方向断面を有するパイプであり、軒先端部４０ａから軒元端部４０ｂまで真直ぐに延びている。筒状部材４は、たとえば隣り合う垂木１６間に配置される。
【００３２】
筒状部材４は、軒先端部４０ａ側が下方となるよう傾斜して配置される。また、筒状部材４の軒先端部４０ａは、鼻隠し材１１よりも外側に位置し、軒元端部４０ｂは、鼻隠し材１１よりも内側、すなわち屋根裏空間６内に位置している。このように水勾配がつけられて配置される筒状部材４においては、水下側となる軒先端部４０ａから電力線１０が受入れられ、水上側となる軒元端部４０ｂから電力線１０が屋根裏空間６へ送り出される。
【００３３】
ここで、筒状部材４の具体的な配置例については、図３に示される、配線引き込み方法を示すフローチャートをさらに参照しながら詳細に説明する。
【００３４】
図１〜図３を参照して、はじめに、屋外側から（軒先側から）、鼻隠し材１１に、筒状部材４を嵌入れるための穴が開けられる（工程Ｐ１）。この穴は、たとえばホールソーなどの切削工具により開けることができる。続いて、筒状部材４を野地板２１の下方に配置するために、鼻隠し材１１に開けられた穴に、屋外側から筒状部材４が挿入される（工程Ｐ２）。挿入された筒状部材４は、屋根裏空間６において、軒先端部４０ａが軒元端部４０ｂよりも低くなるよう傾斜させて固定される（工程Ｐ３）。具体的には、筒状部材４が、野地板２１の勾配方向に沿うように（平行に）、固定部材５によってたとえば垂木１６に固定される。このとき、軒先端部４０ａおよび軒元端部４０ｂのいずれも開放されている。なお、本実施の形態では、野地板２１と筒状部材４とを離して配置しているが、野地板２１の下面２１ａと筒状部材４とが接触するように配置されてもよい。また、本実施の形態において、固定部材５は、筒状部材４と別体として示したが、筒状部材４と一体形成されていてもよい。
【００３５】
筒状部材４が固定されると、屋根部２からの電力線１０が、軒先端部４０ａから筒状部材４内に挿入される。そして、挿入された電力線１０が、軒元端部４０ｂから引き出される（工程Ｐ４）。これにより、電力線１０は、屋根裏空間６に引き込まれる。
【００３６】
電力線１０が十分に屋根裏空間６内に引き込まれると、筒状部材４の軒元端部４０ｂに、シーリング材４３が設けられることが望ましい（工程Ｐ５）。シーリング材４３は、電力線１０の周囲に配置される。これにより、水上側である軒元端部４０ｂ側が閉塞される。なお、軒元端部４０ｂの隙間にシーリング材を設けた場合、上述のようにシーリング材が劣化することも考えられる。しかしながら、本実施の形態では、筒状部材４の軒元端部４０ｂを屋根裏空間６の比較的広い空間に配置することができるため、屋根裏空間６において、定期的に劣化の有無を確認したり、劣化部分を補修したりすることも可能である。
【００３７】
上述のように、本実施の形態によれば、筒状部材４によって電力線１０の引込経路が形成される。したがって、屋根部２に穴を開ける必要がないため、たとえばリフォームにより屋根部２上に設備機器を設ける場合にも適用することができる。
【００３８】
また、筒状部材４は、軒元端部４０ｂ側が高くなるよう傾斜されているため、軒先端部４０ａからの雨水の浸入を低減することができる。通常、雨水の浸入を防止するためには、軒先端部４０ａにもシーリング材等が施される。しかしながら、本実施の形態では、軒先端部４０ａからの雨水の浸入をあえて許容し、浸入した雨水をそこから排出できるように、軒先端部４０ａは開放されたままとしている。したがって、筒状部材４内に雨水が浸入したとしても、そのまま軒先端部４０ａから雨水を排水することができる。このように、本実施の形態では、筒状部材４の内面下方に位置する円弧面４１は、軒先側に向けて排水を案内する排水案内面としても機能する。
【００３９】
筒状部材４の軒先端部４０ａは、鼻隠し材１１を超えて樋１５上まで突出して配置されることが望ましい。この場合、軒先端部４０ａから浸入してきた雨水は、筒状部材４の円弧面４１上を流下し、そのまま、建物１に通常備えられる樋１５に流し込まれる。このように、本実施の形態によれば、筒状部材４によって、電力線１０の引込経路だけでなく、雨水の排水経路を形成することもできる。
【００４０】
なお、本実施の形態では、軒先端部４０ａは開放されていることとして説明した。しかしながら、排水さえ容易にできれば、軒先端部４０ａには、筒状部材４内への雨水の吹き上がりを低減させるための公知の部材が設けられてもよい。たとえば、図４に示されるように、鼻隠し材１１の外表面に、軒先端部４０ａを覆う防水性のカバー材８が設けられてもよい。カバー材８は、下方側が開放されており、その内面と軒先端部４０ａとの間に隙間を有するように配置される。あるいは、図５に示されるように、筒状部材４Ａの軒先端部４０ａが、下方を向くように曲げられていてもよい。
【００４１】
一方、軒元端部４０ｂには、電力線１０の周囲にシーリング材４３が配置されている。したがって、軒先端部４０ａから浸水があったとしても、軒元端部４０ｂが閉塞されているため、軒元端部４０ｂから屋根裏空間６への漏水のリスクをさらに低減させることができる。なお、雨水が軒元端部４０ｂまで到達しないようにするために、筒状部材４は、ある程度の長さを有していることが望ましい。筒状部材４の長さは、その勾配角度や内径、屋根裏空間６内の構造躯体の位置等に応じて定められる。
【００４２】
また、本実施の形態では、軒元端部４０ｂを閉塞する閉塞部としてシーリング材４３を設けることとしたが、限定的ではない。たとえば、図５に示した軒先端部４０ａの向きとは逆に、軒元端部４０ｂが、上方を向くように曲げられていてもよい。または、筒状部材４の長さを十分に取れる場合には、軒元端部４０ｂも開放されていてもよい。
【００４３】
以上説明したように、本実施の形態によれば、鼻隠し材１１から電力線１０を引き込むための筒状部材４が水勾配をつけて配置されるだけで、屋根裏空間６（筒状部材４の外部）への雨水の浸入を効率的に防止または低減することができる。したがって、簡易な構造で、屋根裏空間６への漏水のリスクを低減させることができる。また、筒状部材４は、市販されている円筒部材（パイプ）を利用できるため、従来の屋根穴部に対して設けられる高性能なカバー材等に比べて製造コストを抑えることも可能である。また、筒状部材４の軒先端部４０ａは、樋１５により隠れるため、美観を維持することもできる。
【００４４】
なお、本実施の形態では、屋根部２に設置された設備機器と建物１内等に設置された機器とを接続する接続線として、電力線１０を例に説明した。しかしながら、接続線は、線状の部材であれば電力線１０に限定されない。たとえば、接続線は、太陽熱温水装置と給湯器とを接続する給湯管のような管状部材であってもよいし、アンテナと通信機器とを接続する通信ケーブルなどであってもよい。
【００４５】
＜実施の形態２＞
本発明の実施の形態２に係る配線引き込み構造について説明する。
【００４６】
上記実施の形態１では、筒状部材は、鼻隠し材を貫通するように配置されたが、本実施の形態では、筒状部材は、軒天ボードを貫通するように配置される。以下、実施の形態１と異なる部分のみ詳細に説明する。
【００４７】
図６は、本発明の実施の形態２に係る配線引き込み構造を模式的に示す模式断面図である。図６を参照して、本実施の形態では、筒状部材４Ｂは、たとえば中腹位置４４において曲折されている。具体的には、軒元端部４０ｂからこの中腹位置４４までは、屋根部２の勾配に沿って配置されている。一方、中腹位置４４から軒先端部４０ａまでは、屋根部２の勾配角度よりも急傾斜となる角度で配置されている。これにより、筒状部材４Ｂは、軒先端部４０ａが軒天ボード１２を貫通するように配置される。このように、本実施の形態では、軒先端部４０ａが下方を向くように配置されるため、実施の形態１よりも、軒先端部４０ａから雨水が浸入する可能性を低下させることができる。
【００４８】
なお、本実施の形態においても、筒状部材４Ｂの軒先端部４０ａの下方に、たとえば縦方向に延びる樋（図示せず）が配置されていてもよい。その場合、筒状部材４Ｂの軒先端部４０ａは、縦樋に接続されていてもよい。
【００４９】
また、本実施の形態では、軒天ボード１２を貫通するように、筒状部材４Ｂは、中腹位置４４において下方に曲折されることとした。しかしながら、真直ぐに延びる筒状部材が、屋根部２の勾配よりも急傾斜となる角度で配置されてもよい。または、部分的に可撓部分を有する筒状部材が、屋根裏空間６内の構造躯体を迂回するように配置されてもよい。つまり、筒状部材は、少なくとも一部に可撓部分を有していてもよい。その場合、可撓部分は、軒先端部４０ａから所定位置（たとえば中腹位置４４）までの間に設けられることが望ましい。
【００５０】
また、筒状部材は、屋外に面する外装部材であれば、鼻隠し材１１および軒天ボード１２以外の部材を貫通するように配置されてもよい。
【００５１】
＜実施の形態３＞
本発明の実施の形態３に係る配線引き込み構造について説明する。
【００５２】
上記実施の形態１，２では、勾配屋根の勾配に沿って筒状部材が取り付けられる例を示したが、本実施の形態では、筒状部材が、陸屋根の下方に取付けられる。以下、実施の形態１と異なる部分のみ詳細に説明する。
【００５３】
図７は、本発明の実施の形態３に係る配線引き込み構造を模式的に示す模式断面図である。図７を参照して、本実施の形態の建物１Ａは、屋根部２Ａとして陸屋根を備えている。この場合、外壁１３は、屋根部２Ａの下面にまで延びている。
【００５４】
本実施の形態では、屋根部２Ａが略水平に配置されているため、筒状部材４Ｃは、屋根部２Ａに沿うことなく、単に、軒先端部４０ａが下方側となるよう傾斜して配置される。この場合、筒状部材４Ｃの軒先端部４０ａは、屋根裏空間６Ａの軒先側に位置する外壁１３よりも、外側に突出している。本実施の形態では、筒状部材４Ｃは、屋根裏空間６Ａ内において、たとえば小屋梁（図示せず）など、屋根裏空間６Ａを構成する部材に固定されてよい。
【００５５】
＜実施の形態４＞
本発明の実施の形態４に係る配線引き込み構造について説明する。
【００５６】
上記実施の形態１〜３では、電力線は、軒先端部から挿入されたが、軒先端部側（一端側）であれば軒先端部以外の箇所から挿入されてもよい。このような例を実施の形態４として、以下に、実施の形態１と異なる部分のみ詳細に説明する。
【００５７】
図８は、本発明の実施の形態４に係る配線引き込み構造を模式的に示す模式断面図である。図８を参照して、本実施の形態における筒状部材４Ｄには、軒先端部４０ａ側の上部に、孔部４０１が設けられている。孔部４０１は、鼻隠し材１１よりも外側に位置している。筒状部材４Ｄの上部とは、径方向断面における頂部に限定されず、上半分のいずれかの箇所であってよい。
【００５８】
この場合、排水は、実施の形態１と同様に、軒先端部４０ａから行われるが、電力線１０は、軒先端部４０ａからではなく、孔部４０１から挿入される。このように、本実施の形態では、電力線１０が挿入される箇所（孔部４０１）と排水箇所（軒先端部４０ａ）とが異なる。そのため、孔部４０１に止水処理を施すことができる。たとえば、孔部４０１における電力線１０の周囲を、乾式または湿式のシーリング材で覆ってもよい。また、軒先端部４０ａには、筒状部材４Ｄ内への雨水の吹き上がりを低減させるための公知の部材が設けられてもよい。たとえば、軒先端部４０ａが、メッシュ材で覆われてもよい。
【００５９】
なお、本実施の形態では、軒先端部４０ａ側に電力線１０を挿入するための孔部４０１が設けられたが、軒元端部４０ｂ側（他端側）に電力線１０を引き出すための孔部が設けられてもよい。この場合、軒元端部４０ｂ側の孔部（図示せず）は、筒状部材の上部に設けられることが望ましい。このようにすることで、筒状部材の軒元端部４０ｂを乾式または湿式のシーリング材で完全に塞ぐこともできる。その結果、筒状部材の長さが十分に取れない場合であっても、屋根裏空間６への漏水を防止することができる。
【００６０】
＜実施の形態５＞
本発明の実施の形態５に係る配線引き込み構造について説明する。
【００６１】
上記実施の形態４では、筒状部材の軒先端部側に、電力線挿入用の孔部が設けられたが、これに代えて、軒先端部側に排水用の孔部が設けられてもよい。このような例を実施の形態５として、以下に、実施の形態１と異なる部分のみ詳細に説明する。
【００６２】
図９は、本発明の実施の形態５に係る配線引き込み構造を模式的に示す模式断面図である。図９を参照して、本実施の形態における筒状部材４Ｅには、軒先端部４０ａ側の下部に、孔部４０２が設けられている。孔部４０２は、鼻隠し材１１よりも外側に位置している。筒状部材４Ｅの下部とは、径方向断面における底部に限定されず、下半分のいずれかの箇所であってよい。
【００６３】
この場合、電力線１０は、実施の形態１と同様に、軒先端部４０ａから挿入されるが、排水は、軒先端部４０ａからではなく、孔部４０２から行われる。このように、本実施の形態では、軒先端部４０ａが電力線１０挿入用の開口とされ、孔部４０２が排水用の開口とされている。そのため、電力線１０を屋根裏空間６に引き込んだ後に、軒先端部４０ａに止水処理を施すことができる。たとえば、軒先端部４０ａにおける電力線１０の周囲を、乾式または湿式のシーリング材で覆ってもよい。また、孔部４０２は、筒状部材４Ｅの下部に設けられているため、実施の形態１等よりも、雨水が浸入するリスクを低減させることができる。ただし、この場合でも、孔部４０２に、筒状部材４Ｅ内への雨水の吹き上がりを低減させるための公知の部材が設けられてもよい。
【００６４】
以上説明したように、各実施の形態の配線引き込み構造によれば、屋根部に穴を開ける必要がない。したがって、屋根部材に穴を開けること自体が困難な場合や、建築後の建物に対しても、容易に、屋根上に設置した設備機器からの接続線を建物内部に引き込むことができる。また、筒状部材が傾斜した状態で配置されることで、筒状部材内の円弧面が、浸入してきた水の排水経路を形成することもできる。したがって、簡易な構成で、長期間にわたり建物内部への漏水を防止または低減することができる。その結果、施工時だけでなく長期的な観点からも、配線引き込みに伴う防水構造のコストダウンを図ることも可能となる。
【００６５】
なお、屋根部（屋根部材）の傾斜の有無、あるいは屋根裏空間内の構造躯体の位置などに応じて、筒状部材の形状、寸法、傾斜角度、および取付け位置などを変更してもよい。また、実施の形態１〜５を適宜組み合わせることもできる。
【００６６】
また、上記各実施の形態では、屋根部材に配された接続線（たとえば電力線）を建物内に引き込む場合の構造例を示したが、建物の外部に配された接続線を建物内に引き込む形態であれば、上述のような筒状部材を適用可能である。また、筒状部材が配置される位置は、天面部材の下方であれば、屋根部材の下方に限定されない。「天面部材」とは、建物の内部空間の上方を覆うように配置される部材である。つまり、天面部材には、屋根裏空間の上方を覆う屋根部材、および、居室空間の上方を覆うバルコニー床材や天井部材などが含まれる。
【００６７】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６８】
１，１Ａ  建物、２，２Ａ  屋根部、４，４Ａ，４Ｂ，４Ｃ，４Ｄ，４Ｅ  筒状部材、５  固定部材、６，６Ａ  屋根裏空間、７  居室空間、８  カバー材、１０  電力線、１１  鼻隠し材、１２  軒天ボード、１３  外壁、１４  天井部、１５  樋、１６  垂木、２１  野地板、２２  屋根仕上げ材、４０ａ  軒先端部、４０ｂ  軒元端部、４１  円弧面、４３  シーリング材、４０１，４０２  孔部。
【図１】
2014220935.tif 000003
【図２】
2014220935.tif 000004
【図３】
2014220935.tif 000005
【図４】
2014220935.tif 000006
【図５】
2014220935.tif 000007
【図６】
2014220935.tif 000008
【図７】
2014220935.tif 000009
【図８】
2014220935.tif 000010
【図９】
2014220935.tif 000011